(57)【要約】【課題】種々の大きさの被記録媒体をスキューなく案内できるエッジガイドを備える給送装置における媒体ガイド装置を提供すること。【解決手段】被記録媒体の支持面５上で、給送される被記録媒体の幅寸法に応じて幅方向にスライド可能であり、被記録媒体の給送方向に平行に延びる案内面を形成する案内本体部３３を備える第１エッジガイド３１と、第１エッジガイドと対向する第２エッジガイドと、案内本体部に対して給送方向に出没可能に設けられ、支持面側へ突出する案内突起を有する補助案内部４３と、支持面に形成され第１エッジガイドの幅方向への移動時に案内突起が案内される案内溝４７とを備え、案内溝が、媒体載置領域の幅が一定距離以下であるとき補助案内部４３を給送方向側へ突出させるように案内突起４５を案内する。【選択図】図２
2006096490.tif 000002
【特許請求の範囲】
【請求項１】
給送される被記録媒体を下側から支持する支持面を有する支持トレイと、
前記支持面上で、給送される被記録媒体の幅寸法に応じて幅方向にスライド可能であり、被記録媒体の給送方向に平行に延びる案内面を形成する案内本体部を備える第１エッジガイドと、
前記第１エッジガイドと対向して被記録媒体の給送方向に平行に延びる案内面を形成する第２エッジガイドと、
前記第１エッジガイドと第２エッジガイドとの間に形成される媒体載置領域と、
前記案内本体部に対して給送方向に出没可能に設けられ、前記支持面側へ突出する案内突起を有する補助案内部と、
前記支持面に形成され、前記第１エッジガイドの前記幅方向への移動時に、前記案内突起が案内される案内溝とを備え、
前記案内溝が、前記媒体載置領域の幅が一定距離以下であるときに、前記補助案内部を給送方向側へ突出させるように前記案内突起を案内するように構成されていることを特徴とする給送装置における媒体ガイド装置。
【請求項２】
請求項１において、前記媒体載置領域の幅がハガキの幅であるときに、ハガキが前記支持面上を給送される間、ハガキの側辺を案内できる長さまで前記補助案内部を給送方向側へ突出させるように、前記案内溝は前記案内突起を案内することを特徴とする給送装置における媒体ガイド装置。
【請求項３】
請求項１において、前記媒体載置領域の幅が名刺の幅であるときに、名刺が前記支持面上を給送される間、名刺の側辺を案内できる長さまで前記補助案内部を給送方向側へ突出させるように、前記案内溝は前記案内突起を案内することを特徴とする給送装置における媒体ガイド装置。
【請求項４】
請求項１〜３のいずれかにおいて、前記第２エッジガイドが固定であることを特徴とする給送装置における媒体ガイド装置。
【請求項５】
請求項１〜４のいずれかにおいて、前記補助案内部が、前記案内本体部に対して給送方向とは反対側にも出没可能であり、前記案内溝が、前記媒体載置領域の幅が一定距離以上であるときに、前記補助案内部を給送方向とは反対側へ突出させるように前記案内突起を案内することを特徴とする給送装置における媒体ガイド装置。
【請求項６】
給送される被記録媒体を下側から支持する支持面を有する支持トレイと、
前記支持面上で、給送される被記録媒体の幅寸法に応じて幅方向にスライド可能であり、被記録媒体の給送方向に平行に延びる案内面を形成する案内本体部を備える第１エッジガイドと、
前記第１エッジガイドと対向して被記録媒体の給送方向に平行に延びる案内面を形成する第２エッジガイドと、
前記第１エッジガイドと第２エッジガイドとの間に形成される媒体載置領域と、
前記案内本体部に対して給送方向とは反対側に出没可能に設けられ、前記支持面側へ突出する案内突起を有する補助案内部と、
前記支持面に形成され、前記第１エッジガイドの前記幅方向への移動時に、前記案内突起が案内される案内溝とを備え、
前記案内溝が、前記媒体載置領域の幅が一定距離以上であるときに、前記補助案内部を給送方向とは反対側へ突出させるように前記案内突起を案内することを特徴とする給送装置における媒体ガイド装置。
【請求項７】
請求項６において、前記媒体載置領域の幅がＢ４規格の短手方向の長さ以上であるときに、被記録媒体が前記支持面上を給送される間、該被記録媒体の側辺上部を案内できる長さまで前記補助案内部を給送方向とは反対側へ突出させるように、前記案内溝は前記案内突起を案内することを特徴とする給送装置における媒体ガイド装置。
【請求項８】
請求項６または７において、前記第２エッジガイドが固定であることを特徴とする給送装置における媒体ガイド装置。
【請求項９】
給送される被噴射媒体を下側から支持する支持面を有する支持トレイと、
前記支持面上で、給送される被噴射媒体の幅寸法に応じて幅方向にスライド可能であり、被噴射媒体の給送方向に平行に延びる案内面を形成する案内本体部を備える第１エッジガイドと、
前記第１エッジガイドと対向して被噴射媒体の給送方向に平行に延びる案内面を形成する第２エッジガイドと、
前記第１エッジガイドと第２エッジガイドとの間に形成される媒体載置領域と、
前記案内本体部に対して給送方向に出没可能に設けられ、前記支持面側へ突出する案内突起を有する補助案内部と、
前記支持面に形成され、前記第１エッジガイドの前記幅方向への移動時に、前記案内突起が案内される案内溝とを備え、
前記案内溝が、前記媒体載置領域の幅が一定距離以下であるときに、前記補助案内部を給送方向側へ突出させるように前記案内突起を案内することを特徴とする給送装置における媒体ガイド装置。
【請求項１０】
給送される被噴射媒体を下側から支持する支持面を有する支持トレイと、
前記支持面上で、給送される被噴射媒体の幅寸法に応じて幅方向にスライド可能であり、被噴射媒体の給送方向に平行に延びる案内面を形成する案内本体部を備える第１エッジガイドと、
前記第１エッジガイドと対向して被噴射媒体の給送方向に平行に延びる案内面を形成する第２エッジガイドと、
前記第１エッジガイドと第２エッジガイドとの間に形成される媒体載置領域と、
前記案内本体部に対して給送方向とは反対側に出没可能に設けられ、前記支持面側へ突出する案内突起を有する補助案内部と、
前記支持面に形成され、前記第１エッジガイドの前記幅方向への移動時に、前記案内突起が案内される案内溝とを備え、
前記案内溝が、前記媒体載置領域の幅が一定距離以上であるときに、前記補助案内部を給送方向とは反対側へ突出させるように前記案内突起を案内することを特徴とする給送装置における媒体ガイド装置。
【請求項１１】
給送される被記録媒体の幅寸法に応じて幅方向にスライド可能であり、被記録媒体の給送方向に平行に延びる案内面を形成する案内本体部を備える可動エッジガイドを備え、前記可動エッジガイドが、被記録媒体の給送方向での長さに応じて、給送方向または給送方向とは反対側へ突出可能な補助案内部を備え、補助案内部には指で給送方向または給送方向とは反対側へ補助案内部を移動させるための指操作部が形成されていることを特徴とする給送装置における媒体ガイド装置。
【請求項１２】
給送される被記録媒体の幅寸法に応じて幅方向にスライド可能であり、被記録媒体の給送方向に平行に延びる案内面を形成する案内本体部を備える可動エッジガイドを備え、前記可動エッジガイドが、被記録媒体の給送方向での長さに応じて、給送方向または給送方向とは反対側へ移動可能であることを特徴とする給送装置における媒体ガイド装置。
【発明の詳細な説明】
【技術分野】
【０００１】
本発明は、記録装置に搭載される給送装置における媒体ガイド装置に関する。更に本発明は、インク等の液体をそのヘッドから吐出して被噴射媒体に噴射を実行するインクジェット式記録装置などの液体噴射装置に搭載される給送装置における媒体ガイド装置に関するものである。
【０００２】
ここで液体噴射装置とは、インクジェット式記録ヘッドが用いられ、該記録ヘッドからインクを吐出して被記録媒体に記録を行うプリンタ、複写機およびファクシミリ等の記録装置に限らず、インクに代えてその用途に対応する液体を前記記録ヘッドに相当する液体噴射ヘッドから被記録媒体に相当する被噴射媒体に噴射して、前記液体を前記被噴射媒体に付着させる装置を含む意味で用いる。
【０００３】
液体噴射ヘッドとして、前記記録ヘッドの他に、液晶ディスプレー等のカラーフィルター製造に用いられる色材噴射ヘッド、有機ＥＬディスプレーや面発光ディスプレー（ＦＥＤ）等の電極形成に用いられる電極材（導電ペースト）噴射ヘッド、バイオチップ製造に用いられる生体有機物噴射ヘッド、精密ピペットとしての試料噴射ヘッド等が挙げられる。
【背景技術】
【０００４】
インクジェットプリンタ等の記録装置では、用紙等の被記録媒体をホッパ上に積載しておき、ホッパの上下動及び給送ローラの回転駆動により、被記録媒体を一枚ずつ記録部側へ自動給送するようにしている。ホッパにはエッジガイドが設けられ、被記録媒体の大きさに応じてエッジガイドを被記録媒体の側辺に隣接させることにより、被記録媒体がスキューすることなく給送できるようにしている。
【０００５】
このように給送時に被記録媒体のスキューを防止する装置には、例えば特許文献１に開示されたものがある。即ち、この装置は、用紙の幅方向に移動調整可能な用紙ガイドを用紙の側面に沿って設け、用紙ガイドにそのガイド面より用紙の側面側に向かって突出された退避可能なリミッタを備える。そして用紙のセット時にリミッタを用紙に当接させてガイド面と用紙との間の間隙を設定し、用紙とガイド面との摩擦をなくしてスキューを防止している。
【０００６】
【特許文献１】実開平５−１２４２８号公報
【発明の開示】
【発明が解決しようとする課題】
【０００７】
一方最近では、一台の記録装置により、例えばＢ４サイズから名刺サイズまで幅広い大きさの用紙に記録を行うため、給送装置も種々の大きさの用紙をスキューなく給送しなければならない。この場合、エッジガイドを長くしてスキューを防止することが考えられるが、給送装置自体が大きくなってしまうという問題点がある。
【０００８】
そこで本発明の目的は、種々の大きさの被記録媒体をスキューなく案内できるエッジガイドを備える給送装置における媒体ガイド装置を提供することである。
【課題を解決するための手段】
【０００９】
上記課題を達成するため、本発明の第１の態様に係る給送装置における媒体ガイド装置は、給送される被記録媒体を下側から支持する支持面を有する支持トレイと、前記支持面上で、給送される被記録媒体の幅寸法に応じて幅方向にスライド可能であり、被記録媒体の給送方向に平行に延びる案内面を形成する案内本体部を備える第１エッジガイドと、前記第１エッジガイドと対向して被記録媒体の給送方向に平行に延びる案内面を形成する第２エッジガイドと、前記第１エッジガイドと第２エッジガイドとの間に形成される媒体載置領域と、前記案内本体部に対して給送方向に出没可能に設けられ、前記支持面側へ突出する案内突起を有する補助案内部と、前記支持面に形成され、前記第１エッジガイドの前記幅方向への移動時に、前記案内突起が案内される案内溝とを備え、前記案内溝が、前記媒体載置領域の幅が一定距離以下であるときに、前記補助案内部を給送方向側へ突出させるように前記案内突起を案内するように構成されていることを特徴とするものである。
【００１０】
本発明の第１の態様によれば、被記録媒体がハガキや名刺のように小さい場合、その幅に合わせて第１エッジガイドを移動させたときに、案内突起が案内溝に案内されて、補助案内部が案内本体部の給送方向側へ突出するようになる。従って、小さな被記録媒体は給送が終了するまで、その側辺が補助案内部によって案内されるため、スキューのない給送が可能となる。
【００１１】
また、本発明の第２の態様に係る給送装置における媒体ガイド装置は、上記第１の態様において、前記媒体載置領域の幅がハガキの幅であるときに、ハガキが前記支持面上を給送される間、ハガキの側辺を案内できる長さまで前記補助案内部を給送方向側へ突出させるように、前記案内溝は前記案内突起を案内することを特徴とするものである。本態様によれば、ハガキの給送方向での全長さに亘って側辺が案内されるため、ハガキのスキューのない給送が可能となる。
【００１２】
また、本発明の第３の態様に係る給送装置における媒体ガイド装置は、上記第１の態様において、前記媒体載置領域の幅が名刺の幅であるときに、名刺が前記支持面上を給送される間、名刺の側辺を案内できる長さまで前記補助案内部を給送方向側へ突出させるように、前記案内溝は前記案内突起を案内することを特徴とするものである。本態様によれば、名刺の給送方向での全長さに亘って側辺が案内されるため、名刺のスキューのない給送が可能となる。
【００１３】
また、本発明の第４の態様に係る給送装置における媒体ガイド装置は、上記第１〜第３のいずれかの態様において、前記第２エッジガイドが固定であることを特徴とするものである。本態様によれば、被記録媒体の一側辺を第２エッジガイドに当接させておき、第１エッジガイドを主操作方向へ移動させるだけで、当該被記録媒体の両側辺の案内が可能となる。
【００１４】
また、本発明の第５の態様に係る給送装置における媒体ガイド装置は、上記第１〜第４のいずれかの態様において、前記補助案内部が、前記案内本体部に対して給送方向とは反対側にも出没可能であり、前記案内溝が、前記媒体載置領域の幅が一定距離以上であるときに、前記補助案内部を給送方向とは反対側へ突出させるように前記案内突起を案内することを特徴とするものである。
【００１５】
本態様によれば、被記録媒体が、例えばＢ５版、Ａ３版のように大きい場合、その幅に合わせて第１エッジガイドを移動させたときに、案内突起が案内溝に案内されて、補助案内部が案内本体部の給送方向とは反対側へ突出するようになる。従って、大きな被記録媒体は給送開始当初からその上部の側辺も補助案内部によって案内されるため、スキューのない給送が可能となる。
【００１６】
また、本発明の第６の態様に係る給送装置における媒体ガイド装置は、給送される被記録媒体を下側から支持する支持面を有する支持トレイと、前記支持面上で、給送される被記録媒体の幅寸法に応じて幅方向にスライド可能であり、被記録媒体の給送方向に平行に延びる案内面を形成する案内本体部を備える第１エッジガイドと、前記第１エッジガイドと対向して被記録媒体の給送方向に平行に延びる案内面を形成する第２エッジガイドと、前記第１エッジガイドと第２エッジガイドとの間に形成される媒体載置領域と、前記案内本体部に対して給送方向とは反対側に出没可能に設けられ、前記支持面側へ突出する案内突起を有する補助案内部と、前記支持面に形成され、前記第１エッジガイドの前記幅方向への移動時に、前記案内突起が案内される案内溝とを備え、前記案内溝が、前記媒体載置領域の幅が一定距離以上であるときに、前記補助案内部を給送方向とは反対側へ突出させるように前記案内突起を案内することを特徴とするものである。
【００１７】
本態様によれば、被記録媒体が、例えばＢ５版、Ａ３版のように大きい場合、その幅に合わせて第１エッジガイドを移動させたときに、案内突起が案内溝に案内されて、補助案内部が案内本体部の給送方向とは反対側へ突出するようになる。従って、大きな被記録媒体は給送開始当初からその上部の側辺も補助案内部によって案内されるため、スキューのない給送が可能となる。
【００１８】
また、本発明の第７の態様に係る給送装置における媒体ガイド装置は、上記第６の態様において、前記媒体載置領域の幅がＢ４規格の短手方向の長さ以上であるときに、被記録媒体が前記支持面上を給送される間、該被記録媒体の側辺上部を案内できる長さまで前記補助案内部を給送方向とは反対側へ突出させるように、前記案内溝は前記案内突起を案内することを特徴とするものである。本態様によれば、被記録媒体の側辺上部を給送当初から案内できるので、スキューのない給送が可能となる。
【００１９】
また、本発明の第８の態様に係る給送装置における媒体ガイド装置は、上記第６または第７の態様において、前記第２エッジガイドが固定であることを特徴とするものである。本態様によれば、被記録媒体の一側辺を第２エッジガイドに当接させておき、第１エッジガイドを主操作方向へ移動させるだけで、被記録媒体の両側辺の案内が可能となる。
【００２０】
また、本発明の第９の態様に係る給送装置における媒体ガイド装置は、給送される被噴射媒体を下側から支持する支持面を有する支持トレイと、前記支持面上で、給送される被噴射媒体の幅寸法に応じて幅方向にスライド可能であり、被噴射媒体の給送方向に平行に延びる案内面を形成する案内本体部を備える第１エッジガイドと、前記第１エッジガイドと対向して被噴射媒体の給送方向に平行に延びる案内面を形成する第２エッジガイドと、前記第１エッジガイドと第２エッジガイドとの間に形成される媒体載置領域と、前記案内本体部に対して給送方向に出没可能に設けられ、前記支持面側へ突出する案内突起を有する補助案内部と、前記支持面に形成され、前記第１エッジガイドの前記幅方向への移動時に、前記案内突起が案内される案内溝とを備え、前記案内溝が、前記媒体載置領域の幅が一定距離以下であるときに、前記補助案内部を給送方向側へ突出させるように前記案内突起を案内することを特徴とするものである。
【００２１】
また、本発明の第１０の態様に係る給送装置における媒体ガイド装置は、給送される被噴射媒体を下側から支持する支持面を有する支持トレイと、前記支持面上で、給送される被噴射媒体の幅寸法に応じて幅方向にスライド可能であり、被噴射媒体の給送方向に平行に延びる案内面を形成する案内本体部を備える第１エッジガイドと、前記第１エッジガイドと対向して被噴射媒体の給送方向に平行に延びる案内面を形成する第２エッジガイドと、前記第１エッジガイドと第２エッジガイドとの間に形成される媒体載置領域と、前記案内本体部に対して給送方向とは反対側に出没可能に設けられ、前記支持面側へ突出する案内突起を有する補助案内部と、前記支持面に形成され、前記第１エッジガイドの前記幅方向への移動時に、前記案内突起が案内される案内溝とを備え、前記案内溝が、前記媒体載置領域の幅が一定距離以上であるときに、前記補助案内部を給送方向とは反対側へ突出させるように前記案内突起を案内することを特徴とするものである。
【００２２】
また、本発明の第１１の態様に係る給送装置における媒体ガイド装置は、給送される被記録媒体の幅寸法に応じて幅方向にスライド可能であり、被記録媒体の給送方向に平行に延びる案内面を形成する案内本体部を備える可動エッジガイドを備え、前記可動エッジガイドが、被記録媒体の給送方向での長さに応じて、給送方向または給送方向とは反対側へ突出可能な補助案内部を備え、補助案内部には指で給送方向または給送方向とは反対側へ補助案内部を移動させるための指操作部が形成されていることを特徴とするものである。
【００２３】
本態様によれば、補助案内部を指で給送方向または給送方向とは反対側へ移動させることにより、任意の長さの被記録媒体に対してその側辺に合わせて補助案内部の突出具合を調節して、被記録媒体の適切な案内を実現することができる。これにより給送時の被記録媒体のスキューを防止することができる。
【００２４】
また、本発明の第１２の態様に係る給送装置における媒体ガイド装置は、給送される被記録媒体の幅寸法に応じて幅方向にスライド可能であり、被記録媒体の給送方向に平行に延びる案内面を形成する案内本体部を備える可動エッジガイドを備え、前記可動エッジガイドが、被記録媒体の給送方向での長さに応じて、給送方向または給送方向とは反対側へ移動可能であることを特徴とするものである。
【００２５】
本態様によれば、可動エッジガイド自体を給送方向または給送方向とは反対側へ移動させることにより、任意の長さの被記録媒体に対してその側辺に合わせて可動エッジガイドの位置を調節して、被記録媒体の適切な案内を実現することができる。これにより給送時の被記録媒体のスキューを防止することができる。
【発明を実施するための最良の形態】
【００２６】
以下、本発明に係る給送装置における媒体ガイド装置を記録装置の一例としてインクジェット式記録装置に適用した実施形態を例にとって具体的に説明する。尚、以下の説明では最初にインクジェット式記録装置の基本的な構成を被記録媒体の搬送経路に従って説明し、次いで本発明の特徴的構成の説明をする。
【００２７】
図１は、本発明に係る給送装置における媒体ガイド装置を適用したインクジェット式記録装置の内部構造の要部側断面図であり、図２はＡ４版の被記録媒体を給送時の給送装置の状態を示す斜視図であり、図３は支持面に形成される案内溝を示す上面図であり、図４は案内突起が案内溝に案内される様子を示す断面図であり、図５はハガキを給送時の給送装置の状態を示す斜視図であり、図６はＢ４版の被記録媒体を給送時の給送装置の状態を示す斜視図であり、図７は補助案内部を手動で突出操作可能な実施形態を示す斜視図であり、図８はエッジガイドが手動で給送方向またはその反対方向へ移動可能な実施形態を示す斜視図である。
【００２８】
インクジェット式記録装置１は、その後方側に給送装置３を備え、給送装置３は被記録媒体Ｐの支持面５を形成する支持トレイ７を備えている。記録実行前の被記録媒体Ｐは支持トレイ７上に積重されており、給送時に所定のタイミングで給送ローラ９側へ揺動するホッパ機能により給送ローラ９の外周面に押圧される。給送ローラ９の外周面に押圧された被記録媒体Ｐは、給送ローラ軸１３を回転軸として回転可能に配設されている給送ローラ９の駆動回転によって、媒体案内前部材１２により案内されて、搬送駆動ローラ１５の外周面と搬送従動ローラ１７の外周面との当接面へ向けて１枚ずつ自動給送される。そして被記録媒体Ｐは、搬送駆動ローラ１５の外周面と搬送従動ローラ１７との当接面に狭持されて搬送駆動ローラ１５の高摩擦抵抗被膜面に押圧されて密着し、搬送駆動ローラ１５が副走査方向Ｙへ回転することによって、搬送駆動ローラ１５の回転量に応じた搬送量で副走査方向Ｙへ搬送される。
【００２９】
またインクジェット式記録装置１は記録部２４を有し、記録部２４には、被記録媒体Ｐにインクを噴射して記録を行う記録ヘッド１９を被記録媒体Ｐに対して主走査方向Ｘ（図１の紙面と直交する方向）に走査させるためのキャリッジ２１を備えている。キャリッジ２１は、主走査方向Ｘに往復動可能にキャリッジガイド軸２３に軸支されており、図示していないキャリッジ用モータの回転駆動力が図示していないベルト伝達機構によって伝達されて主走査方向Ｘに往復動する。キャリッジ２１には、各色のインクが充填されたインクカートリッジが着脱可能に搭載され、インクカートリッジから記録ヘッド１９へ各色のインクが供給される。記録ヘッド１９のヘッド面は、プラテン２５と対向する位置で主走査方向Ｘへ往復動し、ヘッド面に多数配置されているノズルからプラテン２５上を搬送される被記録媒体Ｐへインクが噴射されて記録が実行される。記録が完了した被記録媒体Ｐは、排出駆動ローラ２７と排出従動ローラ２９とによって副走査方向Ｙへ排出される。
【００３０】
インクジェット式記録装置１は以上のような概略構成を備えるものであり、以下、本発明に係る被記録媒体ガイド装置の構成を具体的に説明する。尚、以下の説明では、主走査方向Ｘを被記録媒体等の幅方向、副走査方向Ｙを給送方向とも呼ぶこととする。また説明の理解を容易にするために、本実施形態では、いずれの被記録媒体も縦長方向で給送されるものとする。
【００３１】
支持トレイ７の支持面５上には、給送される被記録媒体Ｐの幅寸法に応じて幅方向にスライド可能な第１エッジガイドである可動エッジガイド３１が設けられている。可動エッジガイド３１は、支持面５に対して垂直方向に延びる案内本体部３３を有し、案内本体部３３には、被記録媒体Ｐの給送方向に平行に延びる案内面３５が形成されている。
【００３２】
可動エッジガイド３１と対向する位置には、被記録媒体Ｐの給送方向に平行に延びる別の案内面３７を有する第２エッジガイドである固定エッジガイド３９が形成されており、可動エッジガイド３１と固定エッジガイド３９との間には媒体載置領域４１が形成されている。媒体載置領域４１には複数枚の被記録媒体Ｐが積載可能であり、そこから上述したように一枚ずつの被記録媒体Ｐの給送が可能である。尚、本例では第２エッジガイド側を固定のエッジガイドとしているが、本発明では第２エッジガイド側も可動にしても構わない。
【００３３】
可動エッジガイド３１の案内本体部３３には、そこから給送方向及び給送方向とは反対方向へ出没可能な補助案内部４３が設けられている。補助案内部４３の下面からは支持面５側へ突出する案内突起４５が形成されており、一方支持面５には案内突起４５が入り込み案内される案内溝４７が形成されている。
【００３４】
図３に示す如く案内溝４７は、ほぼ中央付近に位置し主走査方向Ｘと平行に延びる中央区分４９と、中央領域４９より右方向において斜めの遷移領域５１を介して中央領域４９に接続され主走査方向Ｘと平行に延びる下方突出領域５３と、中央領域４９より左方向において斜めの遷移領域５５を介して中央領域４９に接続され主走査方向Ｘと平行に延びる上方突出領域５７とから構成されている。
【００３５】
案内突起４５は、図４に示す如くこのような一連の案内溝４７に案内されることができ、これに伴い、案内突起４５の副走査方向Ｙでの位置が変わるため、補助案内部４３を案内本体部３３から出没させることができる。このような補助案内部４３の出没状態について以下説明する。
【００３６】
図２は、被記録媒体ＰがＡ４版〜Ｂ５版の大きさである場合に、案内突起４５が中央領域４９内に位置する状態を示している。可動エッジガイド３１が中央領域４９内で左右に移動している限りでは、図２に示す如く補助案内部４３は、案内本体部３３の給送方向またはその反対方向のいずれにも突出しない。
【００３７】
図５は、被記録媒体Ｐがハガキや名刺のように小型の被記録媒体である場合に、案内突起４５が下方突出領域５３内に位置する状態を示している。図２に示す状態から図５に示す状態への移行は、図２において可動エッジガイド３１を右側へ移行させることにより、案内突起４５が中央領域４９から遷移領域５１を介して下方突出領域５３へ案内され、これに伴い補助案内部４３が給送方向側へ突出することにより実現される。補助案内部４３は、ハガキや名刺の側辺を最後まで案内できる長さまで案内本体部３３の給送方向側に突出する。これにより小型の被記録媒体Ｐの給送工程の給送終了時点まで被記録媒体の両側辺を確実にガイドできるため、給送工程中に被記録媒体がスキューすることを防止することができる。
【００３８】
また図６は、被記録媒体ＰがＢ４版、Ａ３版のように比較的大型の被記録媒体である場合に、案内突起４５が上方突出領域５７内に位置する状態を示している。図２に示す状態から図６に示す状態への移行は、図２において可動エッジガイド３１を左側へ移行させることにより、案内突起４５が中央領域４９から遷移領域５５を介して上方突出領域５７へ案内され、これに伴い補助案内部４３が給送方向とは反対側へ突出することにより実現される。補助案内部４３が、案内本体部３３の給送方向とは反対側に突出することにより、比較的大型の被記録媒体Ｐの給送工程の給送開始時点でも被記録媒体の両側辺を長い距離に亘ってガイドできるため、給送工程中に被記録媒体がスキューすることを確実に防止することができる。
【００３９】
以上、本発明の一実施形態について説明したが、本発明では種々の変形例が考えられる。例えば上記実施形態ではハガキや名刺のように比較的小さな被記録媒体と、Ｂ４版、Ａ３版のように比較的大きな被記録媒体との両方に適用できるように、補助案内部４３が給送方向及びこれとは反対方向に突出できるようになっているが、補助案内部４３が給送方向のみ、または給送方向とは反対方向のみに突出できるような構成としても構わない。また上記実施形態ではＡ４版〜Ｂ５版の大きさの被記録媒体の場合に、補助案内部４３が給送方向及びこれとは反対方向に突出しない構成としているが、このような補助案内部４３が突出しない範囲の設定は任意である。
【００４０】
また上記実施形態では、可動エッジガイド３１を幅方向に移動させたときに案内突起４５と案内溝４７との作用により補助案内部４３が自動的に給送方向またはこれとは反対方向に突出できるようになっているが、案内突起４５と案内溝４７を設けずに、図７に示す如く、補助案内部４３に指操作部５９を形成し、この指操作部５９を指で操作して給送方向またはこれと反対方向に移動させることにより、補助案内部４３が給送方向またはこれと反対方向に移動して可動エッジガイド３１の給送方向またはその反対方向に突出できるようにしてもよい。
【００４１】
更にまた、図２に示す実施形態では可動エッジガイド３１に対して補助案内部４３が移動可能に設けられているが、図８に示す如く補助案内部４３を設けずに、可動エッジガイド３１自体が、例えば指操作部５９を操作することにより被記録媒体の大きさに応じて給送方向またはこれと反対方向に移動し、被記録媒体の大きさに応じてその側辺を案内できるようにしてもよい。
【００４２】
以上、本発明を用紙等の被記録媒体を例にとって説明したが、本発明は記録ヘッドに代わる液体噴射ヘッドから、被記録媒体に相当する被噴射媒体に噴射して、液体を被噴射媒体に付着させる装置における被噴射媒体の給送装置にも同様にして適用することができる。
【図面の簡単な説明】
【００４３】
【図１】インクジェット式記録装置の内部構造の要部側断面図。
【図２】Ａ４版の被記録媒体を使用時の給送装置の状態を示す斜視図。
【図３】支持面に形成される案内溝を示す上面図。
【図４】案内突起が案内溝に案内される様子を示す断面図。
【図５】ハガキを使用時の給送装置の状態を示す斜視図。
【図６】Ｂ４版の被記録媒体を使用時の給送装置の状態を示す斜視図。
【図７】補助案内部が手動で突出可能な実施形態を示す斜視図。
【図８】エッジガイドが手動で移動可能な実施形態を示す斜視図。
【符号の説明】
【００４４】
１  インクジェット式記録装置、３  給送装置、５  支持面、７  支持トレイ
９  給送ローラ、１３  給送ローラ軸、１５  搬送駆動ローラ、１７  搬送従動ローラ１９  記録ヘッド、２１  キャリッジ、２３  キャリッジガイド軸、２４  記録部、
２５  プラテン、２７  排出駆動ローラ、２９  排出従動ローラ、
３１  可動エッジガイド、３３  案内本体部、３５  案内面、３７  案内面、
３９  固定エッジガイド、４１  媒体載置領域、４３  補助案内部、４５  案内突起、
４７  案内溝、４９  中央領域、５１  遷移領域、５３  下方突出領域、５５  遷移領域５７  上方突出領域、５９  指操作部、Ｐ  被記録媒体、Ｘ  主走査方向、
Ｙ  副走査方向
【図１】
2006096490.tif 000003
【図２】
2006096490.tif 000004
【図３】
2006096490.tif 000005
【図４】
2006096490.tif 000006
【図５】
2006096490.tif 000007
【図６】
2006096490.tif 000008
【図７】
2006096490.tif 000009
【図８】
2006096490.tif 000010